(57)【要約】【課題】楕円ミラーおよびこれに組み合わせるレンズの光軸を正確に位置合わせすることにより、良好に高圧放電ランプからの光を集光して利用することが可能な光源ユニットと、これを用いて優れた画像表示性能を発揮できるプロジェクタを提供する。【解決手段】楕円ミラー３９のリブ４０１に突起４０２ａ〜４０２ｄを十字配列させ、これらと対向する樹脂カバー５０側に固定具５０２ａ〜５０２ｄを配する。当該固定具５０２ａ〜５０２ｄの内側には凹部５０３ａ〜５０３ｄを形成しておき、前記突起４０２ａ〜４０２ｄと嵌合させることで、楕円ミラー３９と凹レンズ６０との光軸を一致させる。【選択図】  図８
2004251925.tif 000002
【特許請求の範囲】
【請求項１】
内部にランプが取り付けられた楕円ミラーの開口部前面に、レンズが設けられたカバーが取り付けられてなる光源ユニットであって、
前記楕円ミラーの開口部端面には、少なくとも三つ以上の第一の嵌合部が形成され、前記カバーには当該第一の嵌合部と対向する位置に、前記三つの嵌合部とそれぞれ相補的に勘合する第二の嵌合部が形成され、
前記第一の嵌合部が前記第二の嵌合部と嵌合することによって、前記楕円ミラーの光軸と前記レンズとの光軸とが略一致され、且つ、
前記第一の嵌合部、および前記第二の嵌合部は、各々が嵌合された状態において、前記第一の嵌合部が当該第一の嵌合部の中心から前記楕円ミラーの光軸に向かって延びる直線方向に対して、前記第二の嵌合部に摺動する形状をそれぞれ有していることを特徴とする光源ユニット。
【請求項２】
内部にランプが装着された楕円ミラーの開口部前面に、レンズが設けられたカバーが取り付けられてなる光源ユニットであって、
前記楕円ミラーの開口部周縁におけるフランジ部には、高圧放電ランプの光軸を挟んで対向する第一の嵌合部が複数対にわたり形成され、かつ各第一の嵌合部と対向するホルダー側には、第一の嵌合部と相補的に嵌合する第二の嵌合部が複数形成されており、
当該第一および第二嵌合部によって、楕円ミラーとレンズの光軸が合わさるよう調整される構成であることを特徴とする光源ユニット。
【請求項３】
前記第一および第二の嵌合部のうち一方は、楔形断面形状を有する突起であり、他方は前記突起の形状に対応する凹部であって、
前記突起は、その稜線の延長線が高圧放電ランプの光軸と交差するように配置されていることを特徴とする請求項１または２に記載の光源ユニット。
【請求項４】
前記楔形断面形状を有する突起の斜面の傾斜角は３０°〜６０°の範囲で設定されていることを特徴とする請求項１〜３のいずれかに記載の光源ユニット。
【請求項５】
請求項１〜４のいずれかに記載の光源ユニットを用いることを特徴とするプロジェクタ。
【請求項６】
請求項１〜４のいずれかに記載の光源ユニットに用いられる楕円ミラーの製造方法であって、
前記楕円ミラーは、ガラス材料を凹状の胴型に入れ、当該胴型の形状に対応する矢型と、楕円ミラー周縁部を成形するためのリング型を前記ガラス材料に押圧することで形成され、
前記楕円ミラーの第一の嵌合部は、前記矢型または前記リング型によって成型されることを特徴とする楕円ミラーの製造方法。
【発明の詳細な説明】
【０００１】
【発明の属する技術分野】
本発明は、高圧放電ランプ等を備える光源ユニットと、これを備えるプロジェクタに関し、特に光源ユニットにおける高圧放電ランプと凹レンズの光軸調整技術に関する。
【０００２】
【従来の技術】
一般的に高圧水銀ランプに代表される高圧放電ランプは、高輝度かつ優れた発光効率と長寿命特性を有しているため、プロジェクタの光源ユニットにおけるＶＰＳ（Ｖｉｄｅｏ  Ｐｒｏｊｅｃｔｏｒ  Ｓｙｓｔｅｍ）ランプに適している。
プロジェクタにおいては、高圧放電ランプからの発光は平行光を利用して画像表示に供されるが、近年になって高圧放電ランプからの光を集光し、これを利用する光源ユニットが導入されるようになった。当該光源ユニットでは、高圧放電ランプを覆う楕円ミラー（放物線ミラー）の前に凹レンズを配置し、両者の光軸が一致するよう調整される。このような構成の光源ユニットによれば、楕円ミラーにより高圧放電ランプからの光束を絞って集光することで光利用率が飛躍的に向上するほか、前記集光によって光路上の光学要素の小型化が図れるようになるなど、メリットが大きい。
【０００３】
【特許文献１】特開２００１−１０１９２３号公報
【０００４】
【発明が解決しようとする課題】
しかしながら、凹レンズを用いて高圧放電ランプを集光する構成の場合、光源ユニットの光軸調整が従来よりシビアになるという問題がある。すなわち、従来のランプの平行光を利用する構成の場合は、ランプとこの前に配される光学装置との光軸がずれていてもそれほど悪影響はないが、楕円ミラーを用いて高圧放電ランプを集光する構成の場合には、楕円ミラーと凹レンズの光軸がずれると楕円ミラーの集光点が逸れるため、ランプからの光が極端に拾えなくなり、光利用効率が著しく低下するという問題を生じる。これは高圧放電ランプを利用するプロジェクタの性能低下にも繋がるので、早急に解決すべき問題である。また、この問題は前記凹レンズ以外の光学要素を用いる場合にも同様に発生する。
【０００５】
従来の位置決め方法は、例えば楕円ミラー開口部のフランジ部の縁を基準にして行われていたが、正確な位置決めを行う上では不十分であり、楕円ミラーと凹レンズの厳密な光軸合わせを行う対策としては未だ改善の余地が残されている。
本発明はこのような課題に鑑みてなされたものであって、楕円ミラーおよびレンズの光軸を正確に位置決めすることにより、良好に高圧放電ランプからの光を集光して利用することが可能な光源ユニットと、これを用いて優れた画像表示性能を発揮できるプロジェクタを提供することにある。
【０００６】
【課題を解決するための手段】
上記課題を解決するために、本発明は、内部にランプが取り付けられた楕円ミラーの開口部前面に、レンズが設けられたカバーが取り付けられてなる光源ユニットであって、前記楕円ミラーの開口部端面には、少なくとも三つ以上の第一の嵌合部が形成され、前記カバーには当該第一の嵌合部と対向する位置に、前記三つの嵌合部とそれぞれ相補的に勘合する第二の嵌合部が形成され、前記第一の嵌合部が前記第二の嵌合部と嵌合することによって、前記楕円ミラーの光軸と前記レンズとの光軸とが略一致され、且つ、前記第一の嵌合部、および前記第二の嵌合部は、各々が嵌合された状態において、前記第一の嵌合部が当該第一の嵌合部の中心から前記楕円ミラーの光軸に向かって延びる直線方向に対して、前記第二の嵌合部に摺動する形状をそれぞれ有しているものとした。
【０００７】
また本発明は、内部にランプが装着された楕円ミラーの開口部前面に、レンズが設けられたカバーが取り付けられてなる光源ユニットであって、前記楕円ミラーの開口部周縁におけるフランジ部には、高圧放電ランプの光軸を挟んで対向する第一の嵌合部が複数対にわたり形成され、かつ各第一の嵌合部と対向するホルダー側には、第一の嵌合部と相補的に嵌合する第二の嵌合部が複数形成されており、当該第一および第二嵌合部によって、楕円ミラーとレンズの光軸が合わさるよう調整される構成とすることもできる。
【０００８】
このような構成によれば、楕円ミラーとホルダーはそれぞれに設けられた第一および第二の複数の嵌合部によって互いに正確な所定の位置で対向配置されるので、楕円ミラー、およびホルダーに取り付けられた集光レンズの各光軸が良好に合わせられる。
また、本発明では前記第一の嵌合部が当該第一の嵌合部の中心から前記楕円ミラーの光軸に向かって延びる直線方向に対して、前記第二の嵌合部に摺動する形状をそれぞれ有しているようにすることで、楕円ミラーのガラス材料の収縮率がばらついて外形寸法、および各嵌合部との間隔が多少変動しても、ガタツキを防止し、且つ光軸ずれも抑制してホールドできる。
【０００９】
なお具体的には、前記第一および第二の嵌合部のうち一方は、楔形断面形状を有する突起であり、他方は前記突起の形状に対応する凹部とするのが望ましい。このとき前記突起は、その稜線の延長線が高圧放電ランプの光軸と交差するように配置する。
このような構成によれば、一方の嵌合部における楔形の突起の両斜面が他方の嵌合部と接触し、突起の稜線と凹部の谷線とが一致するように位置決めされるので、突起のセンターの位置が一定に保たれ、楕円ミラーおよび集光レンズが光軸と垂直方向でずれるのが防止されることになり、より高い位置決め効果が得られる。
【００１０】
ここで、前記楔形断面形状を有する突起の斜面の傾斜角が３０°〜６０°の範囲で設定されていると、楕円ミラーおよび集光レンズが光軸と垂直方向でずれるのが一層効果的に防止されるので望ましい。
なお、楕円ミラーにおいて、前記第一の嵌合部を、楕円ミラーの開口部を挟んで対向するように複数対にわたって配置すると、嵌合時の各嵌合部における加重配分のバランスが良くなり、安定してより正確な位置決めが可能となる。
【００１１】
本発明では、以上のような光源ユニットを用いることにより、映像の照度ムラを防止して良好な画像表示が可能な優れたプロジェクタを構成することができる。
ここで、前記楕円ミラーは、ガラス材料を凹状の胴型に入れ、胴型に矢型と楕円ミラー周縁部の形状をパターニングするためのリング型を押圧して形成するとともに、前記楕円ミラーの第一の嵌合部を、前記矢型または前記リング型によって成型することができる。このような製造方法によれば、楕円ミラーの光軸を決定する矢型の中心とリング型の中心が常に一致するので、楕円ミラー周辺に形成される突起が楕円ミラーの光軸に対して正しい位置に形成される。その結果、楕円ミラーとホルダーの良好な位置決めを行うことが可能となる。
【００１２】
【発明の実施の形態】
１．実施の形態１
１−１．光源ユニットの構成
図１（ａ）、（ｂ）は本実施の形態１における光源ユニットの構成を示す斜視図である。
【００１３】
各図に示される光源ユニット１は、例えば高圧水銀ランプ３０を含む照明光学装置４０が、樹脂ホルダー５０を介して凹レンズ６０と対向配置および位置決めされつつ、樹脂ベース２０に組み付けられた構成を有する。
図２は、光源ユニットの組図を示す図である。
照明光学装置４０は、内面形状が楕円状に成形され、且つ鏡面処理された反射面３９ａを持つ楕円ミラー３９に、ＶＰＳランプとしての高圧水銀ランプ３０が取り付けられてなる。高圧水銀ランプ３０からの各配線は給電コード３０１にまとめられ、ソケット３０２から樹脂ベース２０側に設けられたソケット２０２と嵌合される。ソケット２０２には不図示の配線がなされており、外部より高圧水銀ランプ３０へ電力供給されるようになっている。なおランプには高圧水銀ランプ以外にメタルハライドランプ等の高圧放電ランプや、ハロゲン電球等を用いてもよい。
【００１４】
なお、本実施の形態１の主たる特徴として、楕円ミラー３９のほぼ正方形状の開口部３９ｂに沿って設けられたフランジ部４０１には、台形状の突起４０２ａ〜４０２ｄが、その稜線の延長線が高圧放電ランプ３０の光軸に対して対称的な十字配列をなすように設けられ、当該突起４０２ａ〜４０２ｄが樹脂ホルダー５０側と相補的に嵌合することにより、楕円ミラー３９と凹レンズ６０との光軸が正確に合わさるように調整される。この効果については詳細を後述する。
【００１５】
樹脂ホルダー５０は耐熱性・機械的強度に優れるＰＰＳ（ポリフェニレンサルファイド）材料で作製されており、楕円ミラー３９の開口部３９ｂより一定距離を置いて開口部５０１の先端で凹レンズ６０を保持するホルダーとしての目的で配置される。楕円ミラー３９のフランジ部４０１に配された突起４０２ａ〜４０２ｄと対向する樹脂ホルダー５０側には、固定具５０２ａ〜５０２ｄが配されており、当該固定具５０２ａ〜５０２ｄの内側に配された凹部５０３ａ〜５０３ｄ（図８を参照）が前記突起４０２ａ〜４０２ｄと嵌合するようになっている。
【００１６】
樹脂ベース２０は樹脂ホルダー５０と同様に耐熱性樹脂で作製されており、楕円ミラー３９と樹脂ホルダー５０を嵌合した状態で、樹脂ベース２０のプレート部２０１に沿わせ、プレート部２０１の両端で垂直に配された固定具２０３、２０４に挟んで担持するようになっている。
１−２．光学照明装置の構成
図３は、光学照明装置４０の高圧水銀ランプ３０周辺の構成を示す図である。当図（ａ）は斜視図、当図（ｂ）は楕円ミラーの断面図、当図（ｃ）は突起４０２ｄの拡大図をそれぞれ示している。
【００１７】
楕円ミラー３９は耐熱ガラス材料から作製されており、図６に示すように、高温で柔らかい状態にあるガラス材料を凹部ａ２が形成された胴型Ａに入れ、上からフランジ部４０１の形状に対応したモールド部ｂ１が形成されたリング型Ｂで胴型Ａの縁ａ１側に押圧するとともに、リング型Ｂの開口部ｂ２から矢型Ｃを胴型Ａ側へ押圧することによって成形される。反射面３９ｂの鏡面はアルミ蒸着処理等で形成することができる。楕円ミラー３９の中央には口金挿通用の穴３９１が設けられており、口金３７を介して高圧水銀ランプ３０の外部リード線３５が通される。一方、反射面３９ａには貫通孔３９０が穿孔され、これに外部リード線３６に接続された電力供給線３８が通される。
【００１８】
ここで楕円ミラー３９の開口部３９Ｂはほぼ正方形状に形成され、これにともなってフランジ部４０１はほぼ正方形枠状に形成される。この形状は樹脂ホルダー５０との組み付け後に楕円ミラー３９が回転しないよう確実に固定するための工夫である。
突起４０２ｄは当図（ｃ）に示すように、斜面４０２１ｄ、４０２２ｄと頂部４０２０ｄからなる楔形の断面形状を有している。この突起４０２ｄは他の突起４０２ａ〜４０２ｃとともに、ほぼ正方形枠状のフランジ部４０１の各四隅において、高圧水銀ランプ３０の光軸を中心に十字配列するように設けられる。そして樹脂ホルダー側の凹部５０３ｄと嵌合するように設けられるものである。突起４０２ａ〜４０２ｄはすべて同様の形状を有している。
【００１９】
高圧水銀ランプ３０は、石英ガラスからなるほぼ回転楕円体形状の発光管を備えている。発光管の内部には先端を対向させた一対の電極３４が設けられるとともに、発光金属として水銀、ハロゲンとして臭素、および始動用ガスとしてアルゴンガスが所定の封入圧で封入されている。
１−３．本実施の形態１の効果
従来の光源ユニットでは一般的に楕円ミラーの周縁側面を箱形の樹脂ホルダーに入れ、樹脂ホルダー側の側面に押しつけるように、外形を基準に両者をセットする方法が採られていた（図１０（ｂ）を参照）。このため、寸法公差の最大内寸の箱とする必要があり、縮小誤差によって隙間が発生するため、前記樹脂ホルダーの側面に押しつけて固定する際に、光軸ずれを発生し易かった（図１０（ｄ）を参照、図中の各破線の交点が光軸交点を示す）。また、各種歪み（長方形状の歪み図１１（ｂ）、菱形状の歪み図１１（ｄ）、湾曲状の歪み図１１（ｆ）等）を発生したものも光軸ずれを引き起こし易かった。
【００２０】
これに対し、上記構成を有する本実施の形態１の光源ユニット１では、楕円ミラー３９のフランジ部４０１に配設された突起４０２ａ〜４０２ｄが樹脂ホルダー５０の凹部５０３ａ〜５０３ｄと４点支持で嵌合する構成となっている。これによって図８に示すように、比較的容易かつ正確に、楕円ミラー３９と凹レンズ６０が互いに所定の位置に配置されるようになる。特に本実施の形態１では、突起４０２ａ〜４０２ｄが楔形断面形状を有しており、４５°以上の角度（本発明では３０°〜６０°の範囲で設定が可能）で成形された斜面４０２１ａ〜４０２１ｄ、４０２２ａ〜４０２２ｄが凹部５０３ａ〜５０３ｄと接触することによって、各突起４０２ａ〜４０２ｄの稜線と凹部５０３ａ〜５０３ｄの谷線とが一致するように相補的に位置決めされるので、嵌合時に位置決めのためのセンター出しが行われ、より正確な位置決めがなされるようになっている。
【００２１】
また、本実施の形態１では楕円ミラー３９のフランジ部４０１がほぼ正方形枠状にパターンされ、その各四隅において突起４０２ａ〜４０２ｄが光軸を中心に対称的な十字配列をなすように配置されているので、楕円ミラー３９の正面方向から見て前記十字方向のいずれにずれるのも抑制されるようになっている。さらに、突起４０２ａ〜４０２ｄが光軸を挟んで対向配置されることで、樹脂ホルダー５０側との嵌合時の加重配分がよくなり、安定した位置決めがなされる。
【００２２】
したがって本実施の形態１によれば、従来のように、楕円ミラー３９と凹レンズ６０との位置決めがずれてしまい、光軸が乱れて著しく光利用効率が低下するのが効果的に防止され、良好な発光駆動が発揮されるという効果が得られる。
また、楕円ミラー３９の作製時において、図６に示したように、突起４０２ａ〜４０２ｄを含むフランジ部４０１周辺構造を成形するリング型Ｂを用いることによって、製造上のバラツキを生じた楕円ミラー３９も使用に耐えるようにすることができる。具体的には、通常は図９（ａ）のように楕円ミラーが形成されるはずであるが、例えば図９（ｂ）に示すようなパターニングのずれが生じることがある。特に楕円ミラー３９の材料にガラス材料を用いられるので、その材料特性に起因した公差のバラツキが無視できない場合がある。しかしながら本実施の形態１では、この場合でも、楕円ミラー３９の光軸が常に突起４０２ａ〜４０２ｄに対して正しい位置に設定されるので、その光学上の問題を抑えて使用に耐えるようにすることができる。
【００２３】
尚、突起４０２ａ〜４０２ｄを矢型Ｃを用いて成型した場合でも、上記と同様の効果を得ることができる。
また本実施の形態１では、図１０（ａ）に示すように、突起４０２ａ〜４０２ｄが光軸を中心とする方向に向かって摺動可能な形状（長い楔形断面形状）を有しているので、図１０（ｃ）、図１１（ａ）（ｃ）（ｅ）にそれぞれ示す通り、製造工程時に楕円ミラーが縮小、長方形状、菱形状、湾曲状等の歪みを起こしても、そのバラツキや変動が前記光軸を中心とする方向に沿うことで吸収される効果が奏され、従来より飛躍的にガタツキを無くし、且つ光軸ずれも防止できる。
【００２４】
１−４．ランプ点灯装置の構成
続いて、前記光源ユニット１を駆動するためのランプ点灯装置の構成について説明する。図５は本実施の形態１のランプ点灯装置（安定器）７００の構成を示すブロック図である。同図に示すように、ランプ点灯装置７００は、ＤＣ電源７０１、ＤＣ／ＤＣコンバータ７０２、ＤＣ／ＡＣインバータ７０３、高圧発生器７０４、制御部７０５、電流検出器７０６、電圧検出器７０７から構成されている。
【００２５】
ＤＣ電源７０１は、例えば整流回路を備えており、家庭用の交流１００Ｖ電源から直流電圧おを生成する。ＤＣ／ＤＣコンバータ７０２はマイクロコンピュータを備えた制御部７０５により制御され、所定の大きさの直流電流をＤＣ／ＡＣインバータ７０３に供給する。ＤＣ／ＡＣインバータ７０３は制御部７０５の制御により所定の周波数の交流矩形波電流を生成して高圧発生器７０４に送る。高圧発生器７０４は、例えばトランスを備えており、ここで発生された高電圧が光源ユニット１の超高圧水銀ランプ３０に印加され、発光に供される。
【００２６】
この光源ユニット１およびランプ点灯装置７００は、以下のプロジェクタ１０に内蔵され、光源ユニット１からの発光が画像表示に利用されるようになっている。
１−５．プロジェクタの構成
ここでは、本発明の光源ユニット１を用いたプロジェクタについて説明する。図４は、上記構成の高圧水銀ランプ３０および照明光学装置４０を用いたプロジェクタ１０の概略構成について説明するための図である。
【００２７】
このプロジェクタ１０は、上記照明光学装置４０を含む光源部と、ミラー１１２、光源部からの白色光を青、緑、赤の三原色に分離するダイクロイックミラー１１３、１１４、分離された光をそれぞれ反射するミラー１１５、１１６、１１７、分離された三原色についてそれぞれ単色光画像を形成するための液晶ライトバルブ１１８、１１９、１２０、フィールドレンズ１２１、１２２、１２３、リレーレンズ１２４、１２５、液晶ライトバルブ１１８、１１９、１２０をそれぞれ透過した光を再度合成するダイクロイックプリズム１２６、および投射レンズ１２７を備えており、プロジェクタ１１０からの画像がスクリーン１２８上に投影されるようになっている。同図に示されるようなプロジェクタ１０は、光源部において本発明に係る高圧放電ランプを用いていること以外は、いわゆる３板型のプロジェクタとして従来から良く知られたものであるから、その構成についての詳細な説明は省略する。
【００２８】
このような構成のプロジェクタ１０に、上記光源ユニット１を適用すれば、光軸の乱れの発生を抑制しつつ高い光利用率の発光を利用して装置を駆動でき、照度ムラの少ない優れた画像表示性能を発揮することができる。
２．その他の事項
上記実施の形態１では、楔形断面形状を持つ突起４０２ａ〜４０２ｄを利用する例を示したが、本発明において楕円ミラー３９と樹脂ホルダー５０とを嵌合させる手段としては、この突起形状を用いる場合に限定せず、これ以外の形状の突起を利用してもよい。例えば図９に示すように、円錐をベースにした突起（ａ）、（ｄ）、放物線状の断面形状を持つ突起（ｂ）、三角形状の断面形状を持つ突起（ｃ）等の形状の突起を形成することもできる。突起の形状を選択する際には、位置決めのためのセンター出しが行えるよう、３０°〜６０°の範囲、望ましくは４５°以上の斜面を有する形状とするのが望ましい。また、突起の先端に向けてテーパーがかかるような形状であることが望ましい。
【００２９】
また突起と凹部との組み合わせに関しては、図１２（ａ）〜（ｃ）にそれぞれ示すように、三角柱状（楔形断面形状）の突起に対して、三角溝状、三角切り欠き板状、矩形溝状等の凹部を組み合わせてもよいし、同図（ｄ）に示すように、三角錐状の突起と三角溝状の凹部を組み合わせてもよい。このような凹部と突起の組み合わせによって、突起が凹部内で摺動することが可能となり、以下に示すような精密な位置合わせが実現される。
【００３０】
本実施の形態１では突起４０２ａ〜４０２ｄを十字配列で４個設けるようにしているが、本発明の突起はこれ以外の個数（望ましくは３個以上）で設けてもよい。このとき突起は、その各々が対応する凹部と相補的に嵌合した状態において、当該突起の中心から前記楕円ミラーの光軸に向かって延びる直線方向に対して、凹部に摺動する形状をそれぞれ有している構成とすることで、より精密な位置合わせが可能となる。
【００３１】
また突起４０２ａ〜４０２ｄを偶数個配設する場合には、光軸中心を通る線上で互いに突起が向き合い、かつ互いの稜線を結ぶ線が一致するように、各突起が対をなすようにして配設するのが望ましい。
また上記実施の形態１では楕円ミラー３９に突起４０２ａ〜４０２ｄ、樹脂ホルダー５０に凹部突起５０３ａ〜５０３ｄを設ける構成としたが、これとは逆に、楕円ミラーに凹部、樹脂ホルダー５０に突起を設ける構成としてもよい。また、突起４０２ａ、４０２ｂと凹部５０３ｃ、５０３ｄを楕円ミラー３９に形成し、突起４０２ｃ、４０２ｄと凹部５０３ａ、５０３ｂを樹脂ホルダー５０に設ける等、突起と凹部を適宜組み合わせて配設するようにしてもよい。
【００３２】
また、上記実施の形態１ではホルダー５０を樹脂製（ＰＰＳ製）としたが、当然ながらこれ以外の材料を用いて構成してもよい。但し、駆動時に高圧水銀ランプ３０がかなり高温になるため、耐熱性材料を用いることが必要である。
【００３３】
【発明の効果】
以上のことから明らかなように、本発明は高圧放電ランプを楕円ミラーに装着した光学照明装置およびレンズが、互いに対向するように中空のホルダーに保持されてなる光源ユニットであって、前記楕円ミラーの開口部周縁におけるフランジ部には、高圧放電ランプの光軸を挟んで対向する第一の嵌合部が複数対にわたり形成され、かつ各第一の嵌合部と対向するホルダー側には、第一の嵌合部と相補的に嵌合する第二の嵌合部が複数形成されており、当該第一および第二嵌合部によって、楕円ミラーとレンズの光軸が合わさるよう調整される構成なので、楕円ミラーとホルダーはそれぞれに設けられた第一および第二の複数の嵌合部によって互いに正確な所定の位置で対向配置され、楕円ミラー、およびホルダーに取り付けられたレンズの各光軸が良好に合わせられるという効果が得られる。
【図面の簡単な説明】
【図１】光源ユニットの構成を示す斜視図である。
【図２】光源ユニットの構成を示す組図である。
【図３】光学照明装置の構成を示す図である。
【図４】プロジェクタの構成を示す図である。
【図５】ランプ点灯装置の構成を示すブロック図である。
【図６】楕円ミラーの製造工程を示す図である。
【図７】楕円ミラーのフランジ部周辺の構成を示す図である。
【図８】楕円ミラー、樹脂ホルダー、凹レンズの位置関係を示す図である。
【図９】突起の形状バリエーションを示す図である。
【図１０】楕円ミラーの上面図である。
【図１１】楕円ミラーの上面図である。
【図１２】突起と凹部との組み合わせのバリエーションを示す図である。
【符号の説明】
１        光源ユニット
１０    プロジェクタ
２０    樹脂ベース
３０    高圧水銀ランプ
３９    楕円ミラー
３９ａ        反射面
３９ｂ        開口部
４０    光学照明装置
５０    樹脂ホルダー
６０    凹レンズ
４０１        フランジ部
４０２ａ〜４０２ｄ    突起
５０２ａ〜５０２ｄ    固定具
【図１】
2004251925.tif 000003
【図２】
2004251925.tif 000004
【図３】
2004251925.tif 000005
【図４】
2004251925.tif 000006
【図５】
2004251925.tif 000007
【図６】
2004251925.tif 000008
【図７】
2004251925.tif 000009
【図８】
2004251925.tif 000010
【図９】
2004251925.tif 000011
【図１０】
2004251925.tif 000012
【図１１】
2004251925.tif 000013
【図１２】
2004251925.tif 000014